(57)【特許請求の範囲】
【請求項１】
公衆網のアナログ回線に接続されて該アナログ回線から着信信号と発信者番号を示すコーラーＩＤと音声信号とを受信するアナログ回線インタフェース手段と、構内のアナログ内線に接続されて前記着信信号と前記コーラーＩＤと前記音声信号とをアナログ内線へ送出するアナログ内線インタフェース手段と、前記アナログ回線インタフェース手段と前記アナログ内線インタフェース手段との間に位置し、前記音声信号が通過するルートである音声信号パスを接続するシステム制御手段とを有してなる構内交換システムにおいて、
前記アナログ回線インタフェース手段は、前記着信信号を受信したかどうか示す着信信号有無情報をハイウェイ上の所定の位置に示して出力し、前記コーラーＩＤを前記音声信号パス上へ出力し、
前記アナログ内線インタフェース手段は、前記着信信号有無情報を前記ハイウェイ上から検出し、前記コーラーＩＤを前記音声信号パス上から検出し、検出された着信有無情報に基づいて着信信号を生成し、生成された着信信号と検出されたコーラーＩＤとを前記アナログ内線へ送出することを特徴とする構内交換システム。
【請求項２】
請求項１に記載の構内交換システムにおいて、
前記アナログ回線インタフェース手段は、前記着信有無情報をハイウェイ上に設けられた専用のチャネルの１ビットに示すことを特徴とする構内交換システム。
【請求項３】
公衆網のアナログ回線に接続されて該アナログ回線から着信信号と発信者番号を示すコーラーＩＤと音声信号とを受信するアナログ回線インタフェース手段と、構内のアナログ内線に接続されて前記着信信号と前記コーラーＩＤと前記音声信号とをアナログ内線へ送出するアナログ内線インタフェース手段と、前記アナログ回線インタフェース手段と前記アナログ内線インタフェース手段との間に位置し、前記音声信号が通過するルートである音声信号パスを接続するシステム制御手段とを有してなる構内交換システムにおける発信者番号通知方法であって、
前記アナログ回線インタフェース手段にて、前記着信信号を受信したかどうか示す着信信号有無情報をハイウェイ上の所定の位置に示す処理と、
前記アナログ回線インタフェース手段にて、前記コーラーＩＤを前記音声信号パス上へ出力する処理と、
前記アナログ内線インタフェース手段にて、前記着信信号有無情報をハイウェイ上から検出する処理と、
前記アナログ内線インタフェース手段にて、前記コーラーＩＤを前記音声信号パス上から検出する処理と、
前記アナログ内線インタフェース手段にて、検出された着信有無情報に基づいて着信信号を生成する処理と、
生成された着信信号と検出されたコーラーＩＤとを前記アナログ内線インタフェース手段から前記アナログ内線へ送出する処理とを行う発信者番号通知方法。
【請求項４】
請求項３に記載の発信者番号通知方法において、
前記アナログ回線インタフェース手段にて、前記着信有無情報をハイウェイ上に設けられた専用のチャネルの１ビットに示す処理を行うことを特徴とする発信者番号通知方法。
【発明の詳細な説明】
【技術分野】
【０００１】
本発明は、構内交換システム及びこれを用いた発信者番号通知方法に関し、特に公衆網から構内交換システムに発信された情報を構内の内線電話機に通知する構内交換システム及びこれを用いた発信者番号通知方法に関する。
【背景技術】
【０００２】
従来より、着信者の電話機にて、発信者の電話機の電話番号が表示されるサービスが提供されている。このサービスは、交換機にて受信された発信者の電話機の電話番号情報が着信者の電話機へ送信され、着信者の電話機にて受信された情報を解析する解析手段と、解析された電話番号を表示する表示手段とを設けることにより、着信者の電話機における発信者の電話機の電話番号の表示を実現している。
【０００３】
しかしながら、事業場等の構内に設置された構内交換機においては、公衆網から発信された発信者番号を着信者の内線電話機に通知する機能がないため、内線電話機に発信者番号が表示されない。
【０００４】
そこで、構内交換機に発信者番号を通知するための専用のモデム及び発信者番号を記憶するためのデータベースを設け、データベースに記憶された発信者番号を内線電話機に通知する方法が考えられている（例えば、特許文献１参照。）。
【特許文献１】特開平１１−０４１３５９号公報
【発明の開示】
【発明が解決しようとする課題】
【０００５】
しかしながら、特許文献１に記載された方法においては、構内交換機の装置内で一度発信者番号を記憶する必要があり、複数の制御ブロックによって制御されるような大規模な装置が使用されると、内線電話機へ送信される着信信号と記憶された発信者番号との送信タイミングの同期をとることができなくなってしまうという問題点がある。
【０００６】
本発明は、上述したような従来の技術が有する問題点に鑑みてなされたものであって、装置の規模に関係なく、着信信号に同期した発信者番号通知をすることができる構内交換システム及びこれを用いた発信者番号通知方法を提供することを目的とする。
【課題を解決するための手段】
【０００７】
上記目的を達成するために本発明は、
公衆網のアナログ回線に接続されて該アナログ回線から着信信号と発信者番号を示すコーラーＩＤと音声信号とを受信するアナログ回線インタフェース手段と、構内のアナログ内線に接続されて前記着信信号と前記コーラーＩＤと前記音声信号とをアナログ内線へ送出するアナログ内線インタフェース手段と、前記アナログ回線インタフェース手段と前記アナログ内線インタフェース手段との間に位置し、前記音声信号が通過するルートである音声信号パスを接続するシステム制御手段とを有してなる構内交換システムにおいて、
前記アナログ回線インタフェース手段は、前記着信信号を受信したかどうか示す着信信号有無情報をハイウェイ上の所定の位置に示して出力し、前記コーラーＩＤを前記音声信号パス上へ出力し、
前記アナログ内線インタフェース手段は、前記着信信号有無情報を前記ハイウェイ上から検出し、前記コーラーＩＤを前記音声信号パス上から検出し、検出された着信有無情報に基づいて着信信号を生成し、生成された着信信号と検出されたコーラーＩＤとを前記アナログ内線へ送出することを特徴とする。
【０００８】
また、前記アナログ回線インタフェース手段は、前記着信有無情報をハイウェイ上に設けられた専用のチャネルの１ビットに示すことを特徴とする。
【０００９】
また、公衆網のアナログ回線に接続されて該アナログ回線から着信信号と発信者番号を示すコーラーＩＤと音声信号とを受信するアナログ回線インタフェース手段と、構内のアナログ内線に接続されて前記着信信号と前記コーラーＩＤと前記音声信号とをアナログ内線へ送出するアナログ内線インタフェース手段と、前記アナログ回線インタフェース手段と前記アナログ内線インタフェース手段との間に位置し、前記音声信号が通過するルートである音声信号パスを接続するシステム制御手段とを有してなる構内交換システムにおける発信者番号通知方法であって、
前記アナログ回線インタフェース手段にて、前記着信信号を受信したかどうか示す着信信号有無情報をハイウェイ上の所定の位置に示す処理と、
前記アナログ回線インタフェース手段にて、前記コーラーＩＤを前記音声信号パス上へ出力する処理と、
前記アナログ内線インタフェース手段にて、前記着信信号有無情報をハイウェイ上から検出する処理と、
前記アナログ内線インタフェース手段にて、前記コーラーＩＤを前記音声信号パス上から検出する処理と、
前記アナログ内線インタフェース手段にて、検出された着信有無情報に基づいて着信信号を生成する処理と、
生成された着信信号と検出されたコーラーＩＤとを前記アナログ内線インタフェース手段から前記アナログ内線へ送出する処理とを有する。
【００１０】
また、前記着信有無情報をハイウェイ上に設けられた専用のチャネルの１ビットに示す処理を有することを特徴とする。
【００１１】
上記のように構成された本発明においては、公衆網のアナログ回線に接続されてアナログ回線から着信信号と発信者番号を示すコーラーＩＤと音声信号とを受信するアナログ回線インタフェース手段によって、着信信号を受信したかどうか示す着信信号有無情報がハイウェイ上の所定の位置に示されて出力され、受信されたコーラーＩＤがシステム制御手段によって接続された音声信号パス上へ出力され、構内のアナログ内線に接続されて着信信号とコーラーＩＤと音声信号とをアナログ内線へ送出するアナログ内線インタフェース手段によって、着信信号有無情報がハイウェイ上から検出され、コーラーＩＤが音声信号パス上から検出され、検出された着信有無情報に基づいて着信信号が生成され、生成された着信信号と検出されたコーラーＩＤとがアナログ内線へ送出される。
【００１２】
これにより、着信信号については、メモリ等への書き込み処理及びメモリ等からの読み出し処理が発生せず、それらの処理による大きな遅延が発生することが無い。また、コーラーＩＤについても、音声信号パス上を流れてくるため、システム内に記憶されることなく、記憶されることによる大きな遅延が発生することは無い。したがって、アナログ回線から受信された着信信号とコーラーＩＤとの間のタイミングが、アナログ回線から受信されたときのタイミングと同じタイミングでアナログ内線へ着信信号とコーラーＩＤとを送出することができる。
【発明の効果】
【００１３】
以上説明したように本発明においては、公衆網のアナログ回線に接続されてアナログ回線から着信信号と発信者番号を示すコーラーＩＤと音声信号とを受信するアナログ回線インタフェース手段によって、着信信号を受信したかどうか示す着信信号有無情報をハイウェイ上の所定の位置に示して出力し、受信されたコーラーＩＤをシステム制御手段によって接続された音声信号パス上へ出力し、構内のアナログ内線に接続されて着信信号とコーラーＩＤと音声信号とをアナログ内線へ送出するアナログ内線インタフェース手段によって、着信信号有無情報をハイウェイ上から検出し、コーラーＩＤを音声信号パス上から検出し、検出された着信有無情報に基づいて着信信号を生成し、生成された着信信号と検出されたコーラーＩＤとをアナログ内線へ送出する構成としたため、装置の規模に関係なく、着信信号に同期した発信者番号通知をすることができる。
【発明を実施するための最良の形態】
【００１４】
以下に、本発明の実施の形態について図面を参照して説明する。
【００１５】
図１は、本発明の構内交換システムの実施の一形態を示す図である。
【００１６】
本形態は図１に示すように、アナログ回線インタフェース部１０１と、アナログ内線インタフェース部１０２と、システム制御部１０３とから構成されている。アナログ回線インタフェース部１０１は、公衆網のアナログ回線に接続されており、構内交換システムにおける公衆網側のインタフェース機能を持ち、公衆網との間にてアナログ信号の送受信を行う。アナログ内線インタフェース部１０２は、事業場等の構内に設けられたアナログ内線に接続されており、構内交換システムにおける内線電話側のインタフェース機能を持ち、アナログ内線に接続された内線電話との間にて信号の送受信を行う。システム制御部１０３は、アナログ回線インタフェース部１０１とアナログ内線インタフェース部１０２との間に接続され、構内交換システム全体を制御する。
【００１７】
さらに、アナログ回線インタフェース部１０１は、インタフェース部１１１と、制御信号処理部１１２と、音声信号処理部１１３とから構成されている。インタフェース部１１１は、公衆網のアナログ回線に接続されており、構内交換システムにおける公衆網側のインタフェース機能を持ち、公衆網のアナログ信号の送受信を行う。制御信号処理部１１２は、インタフェース部１１１にて受信された信号の中の着信信号等の制御信号を処理する。音声信号処理部１１３は、インタフェース部１１１にて受信された信号の中の音声信号のＰＣＭ（Pulse Code Modulation）信号への符号化等の処理を行う。
【００１８】
また、アナログ内線インタフェース部１０２は、インタフェース部１２１と、制御信号処理部１２２と、音声信号処理部１２３と、着信信号生成部１２４とから構成されている。インタフェース部１２１は、事業場等の構内に設けられたアナログ内線に接続されており、構内交換システムにおける内線電話側のインタフェース機能を持ち、アナログ内線に接続された内線電話との間にて信号の送受信を行う。制御信号処理部１２２は、インタフェース部１２１からアナログ内線へ送信する信号の中の着信信号等の制御信号を処理する。音声信号処理部１２３は、インタフェース部１２１からアナログ内線へ送信する信号の中のＰＣＭ信号に符号化された音声信号のアナログ信号への変換等の処理を行う。着信信号生成部１２４は、アナログ内線へ送信する着信信号を生成する。
【００１９】
また、システム制御部１０３は、制御部１３１と、タイムスイッチ１３２とから構成されている。制御部１３１は、アナログ回線インタフェース部１０１と、アナログ内線インタフェース部１０２と、システム制御部１０３とを制御する。タイムスイッチ１３２は、音声信号処理部１１３から出力されて入力された音声信号を制御部１３１からの指示に応じたタイムスロットに乗せて出力することにより音声信号のルートを制御する。なお、制御部１３１は、一般的にプログラムによって動作するＣＰＵとメモリとの組み合わせが考えられる。
【００２０】
また、本形態において、アナログ回線からインタフェース部１１１と音声信号処理部１１３とタイムスイッチ１３２と音声信号処理部１２３とインタフェース部１２１とを介してアナログ内線へ信号が通過するハイウェイには、音声信号によって使用される複数のチャネル（以下、音声チャネルと称する）以外に、それとは別のチャネル（以下、着信情報チャネルと称する）が１つ設けられており、その着信情報チャネルを用いて着信信号の有無が送受信される。
【００２１】
また、ここで説明する構内交換システムは、アナログ回線から受信された着信信号のインターバル中にコーラーＩＤが受信されるタイプを例に挙げて説明する。コーラーＩＤとは、例えば、近年普及しているナンバーディスプレイの発信者番号通知機能により受信者側の電話機に表示される発信者側の電話機の電話番号である。
【００２２】
以下に、上記のように構成された構内交換システムにおける発信者番号通知方法について説明する。
【００２３】
図２は、図１に示した構内交換システムにおける発信者番号通知方法を説明するためのシーケンス図である。
【００２４】
まず、公衆網から本構内交換システムに接続されている内線電話に着信があると、アナログ回線からの着信信号がインタフェース部１１１にて検出される（ステップＳ１）。そして、インタフェース部１１１にて検出された着信信号は制御信号処理部１１２へ出力される（ステップＳ２）。
【００２５】
インタフェース部１１１から出力された着信信号が制御信号処理部１１２に入力されると（ステップＳ３）、着信信号があった旨が着信信号有無情報として制御信号処理部１１２から音声信号処理部１１３へ出力され（ステップＳ４）、音声信号処理部１１３に入力される（ステップＳ５）。
【００２６】
着信信号有無情報は、通常「０」が示され、着信信号があった場合は、「１」が示され、着信信号が無い場合は「０」のままが示される信号である。
【００２７】
このとき、制御信号処理部１１２によって、音声信号処理部１１３における着信情報チャネル上の着信信号に応じたタイムスロットに「１」がセットされ、タイムスイッチ１３２へ出力される（ステップＳ６）。なお、ここで、着信信号とそれに応じたタイムスロットの位置との対応付けについては、予め設定されている必要があることは言うまでも無い。
【００２８】
図３は、ハイウェイに流れるデータのうち、着信情報チャネルのタイムスロットのみを示す図である。
【００２９】
図３に示すように、ハイウェイに流れるデータのうち、着信情報チャネルについては、複数のタイムスロットに着信信号に応じた位置が割り当てられており、着信信号があった場合、当該着信信号に応じたタイムスロットに「１」が立てられる。
【００３０】
ここでは、着信信号に応じた８つのタイムスロットが割り当てられており、３番目のタイムスロットに応じた着信信号があったため、３番目のタイムスロットに「１」が立てられている。
【００３１】
着信情報チャネル上の信号については、タイムスロットのどの位置にあろうともタイムスイッチ１３２においてブロードキャストのように全宛先へ出力される。そのため、タイムスイッチ１３２に入力された着信信号有無情報は、宛先が制御されるために制御部１３１からタイムスイッチ１３２へのルート制御が完了するまで待つ必要は無く、タイムスイッチ１３２が有する全宛先に接続された音声信号処理部１２３へ出力される。
【００３２】
そして、タイムスイッチ１３２から出力された着信信号有無情報は、音声信号処理部１２３に入力される（ステップＳ７）。
【００３３】
一方、制御信号処理部１２２において、音声信号処理部１２３に着信信号有無情報が入力されたかどうかが監視されている（ステップＳ８）。
【００３４】
この監視方法については、制御信号処理部１２２に所定の周期を設定し、設定された周期で周期的に制御信号処理部１２２によって音声信号処理部１２３が監視されるものであっても良い。また、着信信号有無情報が音声信号処理部１２３に入力されたことにより、音声信号処理部１２３からその旨が制御信号処理部１２２へ出力されて制御信号処理部１２２にて検出されるものであっても良い。
【００３５】
制御信号処理部１２２にて、音声信号処理部１２３に着信信号有無情報が入力されたことが検出されると、検出された着信信号有無情報がセットされているタイムスロットに応じた着信信号の生成が制御信号処理部１２２から着信信号生成部１２４へ指示され（ステップＳ９）、着信信号生成部１２４にて着信信号が生成され（ステップＳ１０）、生成された着信信号が着信信号生成部１２４からインタフェース部１２１へ出力される（ステップＳ１１）。
【００３６】
また、ステップＳ４にて制御信号処理部１１２から着信信号有無情報が出力されると同時に、着信信号が制御信号処理部１１２から制御部１３１へ出力され（ステップＳ１２）、制御部１３１に入力される（ステップＳ１３）。
【００３７】
そして、制御部１３１によって、入力された着信信号に基づいてタイムスイッチ１３２において音声信号が流れるためルートが張られ、音声信号パスが接続される（ステップＳ１４）。
【００３８】
一方、ステップＳ１にて着信信号が検出されると、着信信号のインターバル中にコーラーＩＤがインタフェース部１１１にて受信される（ステップＳ１５）。その後、受信されたコーラーＩＤがインタフェース部１１１から音声信号のチャネルを用いてステップＳ１４にて接続された音声信号パス上に送信され、音声信号処理部１１３とタイムスイッチ１３２と音声信号処理部１２３とを介してインタフェース部１２１へ出力される（ステップＳ１６）。
【００３９】
そして、ステップＳ１１にて着信信号生成部１２４から出力された着信信号と、音声信号パス上に送信されたコーラーＩＤとが同期してインタフェース部１２１からアナログ内線へ送出される。
【００４０】
上述したように、着信信号については、制御部１３１における処理は行われずにインタフェース部１２１に送られてくるため、制御部１３１に設けられたメモリ等への書き込み処理及びメモリ等からの読み出し処理が発生せず、それらの処理による大きな遅延が発生することが無い。また、コーラーＩＤについても、音声信号パス上を流れてくるため、システム内に記憶されることなく、記憶されることによる大きな遅延が発生することは無い。したがって、アナログ回線から受信された着信信号とコーラーＩＤとの間のタイミングが、アナログ回線から受信されたときのタイミングと同じタイミングでアナログ内線へ着信信号とコーラーＩＤとが送出される。
【図面の簡単な説明】
【００４１】
【図１】図１は、本発明の構内交換システムの実施の一形態を示す図である。
【図２】図１に示した構内交換システムにおける発信者番号通知方法を説明するためのシーケンス図である。
【図３】ハイウェイに流れるデータのうち、着信情報チャネルのタイムスロットのみを示す図である。
【符号の説明】
【００４２】
１０１    アナログ回線インタフェース部
１０２    アナログ内線インタフェース部
１０３    システム制御部
１１１，１２１    インタフェース部
１１２，１２２    制御信号処理部
１１３，１２３    音声信号処理部
１２４    着信信号生成部
１３１    制御部
１３２    タイムスイッチ
【図１】
0004512033.tif 000002
【図２】
0004512033.tif 000003
【図３】
0004512033.tif 000004